(57)【要約】【課題】通信会社のサイトへの電話接続手段によらず、販売店において、適切な携帯端末用デジタルコンテンツを対話的に販売するための販売システムを提供する。【解決手段】作成されされたコンテンツは、コンピュータネットワーク１２を通じてコンテンツサプライヤーコンピュータ１１から販売店用サーバーコンピュータ１３に転送され蓄積される。蓄積されたコンテンツの情報はコンテンツカタログ１４に掲載され、携帯端末１６のユーザに提示される。ユーザは、携帯端末にダウンロードを希望するコンテンツを選択し、コンテンツ注文書１５に記載する。販売店では注文書記載に基づいて、販売店用サーバーコンピュータ１３に蓄積されたコンテンツを携帯端末ユーザの携帯端末１６にダウンロードする。またこのとき、ユーザの嗜好の種類に応じて選択の異なるコンテンツ注文書を使用する。【選択図】　　　　　図１
2004030080.tif 000002
【特許請求の範囲】
【請求項１】
携帯端末用デジタルコンテンツの蓄積機能、及び蓄積した携帯端末用デジタルコンテンツの携帯端末へのダウンロード機能を有するコンピュータネットワーク接続されたコンテンツサーバーと、
前記サーバーコンピュータに蓄積された携帯端末用デジタルコンテンツのリストの表示がなされるコンテンツリスト表示手段と、
前記表示手段に表示された携帯端末用デジタルコンテンツの中から、コンテンツ購入者の携帯端末へダウンロードされる携帯端末用デジタルコンテンツの選択の記載がなされるコンテンツ注文手段と、
を備えた携帯端末用デジタルコンテンツ販売システムであって、
前記表示手段と前記コンテンツ注文手段とが、当該コンテンツを販売する販売店に設置されており、かつ当該販売店内で機動するものであることを特徴とする携帯端末用デジタルコンテンツ販売システム。
【請求項２】
前記コンテンツ注文手段は、携帯端末用デジタルコンテンツと同時に携帯端末を購入する携帯端末用デジタルコンテンツ購入者向けと、それ以外の携帯端末用デジタルコンテンツ購入者向けとで異なり、それぞれのコンテンツ注文手段において、携帯端末用デジタルコンテンツの注文が記載される選択欄の選択枝である携帯端末用デジタルコンテンツが異なることを特徴とする、請求項１記載の携帯端末用デジタルコンテンツ販売システム。
【請求項３】
携帯端末用デジタルコンテンツを蓄積するための、コンピュータネットワーク接続されたコンテンツサーバーと、
前記コンテンツサーバーに蓄積された携帯端末用デジタルコンテンツのリストの表示がなされるコンテンツリスト表示手段と、
前記表示手段に表示された携帯端末用デジタルコンテンツの中から、コンテンツ購入者の携帯端末へダウンロードされる携帯端末用デジタルコンテンツの選択が表示されるコンテンツ注文手段と、
を備えた携帯端末用デジタルコンテンツ販売店であって、前記コンテンツ注文手段の記載内容に基づき、携帯端末用デジタルコンテンツが前記サーバーによって携帯端末ユーザーの携帯端末へダウンロードされることを特徴とする携帯端末用デジタルコンテンツ販売店。
【請求項４】
前記コンテンツ注文手段は、携帯端末用デジタルコンテンツと同時に携帯端末を購入する携帯端末用デジタルコンテンツ購入者向けと、それ以外の携帯端末用デジタルコンテンツ購入者向けとで異なり、それぞれのコンテンツ注文手段において、携帯端末用デジタルコンテンツの注文が記載される選択欄の選択枝である携帯端末用デジタルコンテンツが異なることを特徴とする、請求項３記載の携帯端末用デジタルコンテンツ販売店。
【請求項５】
選択枝である携帯端末用デジタルコンテンツが異なる、複数の携帯端末用デジタルコンテンツ選択欄と、携帯端末用デジタルコンテンツ購入者への質問事項が記載された審尋欄と、を備えており、
質問事項への解答内容が予め決められたものと一致する場合と一致しない場合とでは、携帯端末用デジタルコンテンツ購入者が記載する携帯端末用デジタルコンテンツ選択欄が異なることの表示がされたコンテンツ注文手段。
【請求項６】
前記質問事項には、携帯端末用デジタルコンテンツ購入者の電子メールアドレスが含まれることを特徴するとする請求項５記載のコンテンツ注文手段。
【請求項７】
前記質問事項には、携帯端末用デジタルコンテンツ購入者の携帯端末に対する習熟度が含まれることを特徴するとする請求項５または６記載のコンテンツ注文手段。
【発明の詳細な説明】
【０００１】
【発明の属する技術分野】
本発明は携帯端末用デジタルコンテンツ販売システムを備えた携帯端末用デジタルコンテンツ販売店に関する。
【０００２】
【従来の技術】
携帯端末ユーザーが、自分の所有する携帯端末を好みに合わせてカスタマイズするには、携帯端末そのものや付属品を変更する以外に、携帯端末の中で利用される携帯端末用デジタルコンテンツを購入する方法がある。ここで、携帯端末用デジタルコンテンツ（以下単にコンテンツという。）とは、携帯端末着信音や待ち受け画面、情報サービスに用いられるテキスト、音声、画像、動画データ、そして、前記データの表示制御を行うプログラムやゲーム等のプログラムをいう。
【０００３】
コンテンツ購入の手続は、携帯端末を購入した携帯端末ユーザーが、自ら携帯端末のボタン等を操作して通信会社のサイトに接続し、サイトに蓄積されたコンテンツを選択して、自らの携帯端末にダウンロードしてコンテンツを取得することによって行われ、一方その対価であるコンテンツ料は、通信代金に加算される形で携帯端末ユーザーに対し課金されていた。
【０００４】
【発明が解決しようとする課題】
ここで、上述の購入形態におけるコンテンツの購入に際しては、もはや携帯端末販売店が介在することはなく、購入は、専ら携帯端末ユーザー自身によるサイトへの接続、コンテンツの選択、購入といった携帯端末の一連のボタン操作によってのみ行われていた。したがって、操作方法への不安や、代金支払いの不確実感から、コンテンツを購入する携帯端末ユーザーは、携帯端末ユーザー全体に対して少数となってしまっていた。
【０００５】
また、コンテンツは多数のコンテンツサプライヤーにより作成され、現実には利用可能性のある多種多様のコンテンツが数多く存在する。しかし、コンテンツの販売は通信会社のサイトへの接続のみを通じて行われることから、通信会社のサイトに登録されないコンテンツについては、携帯端末ユーザーがダウンロードして利用することは不可能であった。
【０００６】
携帯端末販売店においては、販売される携帯端末の種類には限りがあり、しかも、販売時の初期設定で内蔵されているコンテンツも機種により固定したものだけであるため、販売商品としての携帯端末の差別化が図りづらかった。
【０００７】
本発明は、かかる実情に鑑みてなされたものであり、携帯端末ユーザーが利用しやすい携帯端末用デジタルコンテンツ販売システムを提供することを目的とする。
【０００８】
【課題を解決するための手段】
以上のような目的を達成するために、本発明は以下のような携帯端末用デジタルコンテンツ販売システムを提供する。
【０００９】
（１）　携帯端末用デジタルコンテンツの蓄積機能、及び蓄積した携帯端末用デジタルコンテンツの携帯端末へのダウンロード機能を有するコンピュータネットワーク接続されたコンテンツサーバーと、前記サーバーコンピュータに蓄積された携帯端末用デジタルコンテンツのリストの表示がなされるコンテンツリスト表示手段と、前記表示手段に表示された携帯端末用デジタルコンテンツの中から、コンテンツ購入者の携帯端末へダウンロードされる携帯端末用デジタルコンテンツの選択の記載がなされるコンテンツ注文手段と、を備えた携帯端末用デジタルコンテンツ販売システムであって、前記表示手段と前記コンテンツ注文手段とが、当該コンテンツを販売する販売店に設置されており、かつ当該販売店内で機動するものであることを特徴とする携帯端末用デジタルコンテンツ販売システム。
【００１０】
ここで、携帯端末とは、携帯電話に加え、ＰＤＡ等の情報端末を含むものである。また、コンテンツ購入者は、既に携帯端末を利用している者だけでなく、それまで携帯端末を利用していなかった者であって、携帯端末販売店において携帯端末と併せてコンテンツを購入しようとする者、すなわち携帯端末の新規ユーザーも含むものである。コンテンツリスト表示手段とは、コンテンツサーバー１３に蓄積されたコンテンツの名称や標識、機能等を掲載するカタログであって、例えば、図１に示すような、紙媒体に印刷されたコンテンツカタログ１４であり、また、コンピュータ端末のディスプレイ表示を利用したカタログの形態もある。
購入者は、蓄積され利用可能なコンテンツについての情報を得るためコンテンツ表示手段の閲覧をする。そして、コンテンツ注文手段を通じて希望するコンテンツを注文する。
【００１１】
ここで、コンテンツ注文手段とは、購入者がコンテンツの選択を記載するものであり、例えば、図１に示すように、紙媒体によるコンテンツ注文書１５である場合と、購入者の選択を入力するキーボード等の入力装置及び選択した入力内容を表示するディスプレイを有する、コンピュータネットワーク１２に接続された販売店端末９である場合とがある。ただし、注文手段のやり取りを通じて、購入者と販売店員との対話により最適商品の選択をすることができる点からは、紙媒体のコンテンツ注文書を用いることが好ましい。また、コンテンツ注文手段への記載の形式は、購入者がコンテンツの名称や標識等を直接に記載あるいは入力するものでもよいが、候補となるコンテンツを選択枝として予めコンテンツ注文手段に表示しておき、購入者は選択枝の中から購入するコンテンツを選択するようにすれば、購入者が間違いなく、かつ効率のよい購入注文ができる。
【００１２】
コンテンツの注文内容は、図１に示すように、店内に設置された販売店端末９からネットワーク１２を通じてコンテンツサーバー１３に送信される。コンテンツ注文手段が段紙媒体によるコンテンツ注文書の場合には、販売店内の販売店員が販売店端末９に入力を行う。コンテンツサーバー１３は送信された注文情報に応じて、蓄積されたコンテンツをコンテンツ購入者の携帯端末１６にダウンロードする。
【００１３】
ここで、コンテンツサーバー１３は、場所的に販売店の中に存在する必要はなく、販売店の店員である操作員、及び自ら操作する顧客がコンテンツをダウンロードする際にコンピュータネットワーク等を通じてアクセスできるものであれば良い。この一方、コンテンツリスト表示手段及びコンテンツ注文手段は店内に設置されるものであり、上述のように、コンテンツ購入者の閲覧または購入の希望に応じて販売店内において機動的に利用されるが、販売店の外部で利用されるものではない。
【００１４】
このような携帯端末用デジタルコンテンツ販売システムによれば、コンテンツは販売店の店舗において店舗販売することが可能となり、購入者は自らボタン操作によってオンライン購入をせずとも、販売店に出向いて表示手段からコンテンツを選択して購入することができる。
【００１５】
（２）　前記コンテンツ注文手段は、携帯端末用デジタルコンテンツと同時に携帯端末を購入する携帯端末用デジタルコンテンツ購入者向けと、それ以外の携帯端末用デジタルコンテンツ購入者向けとで異なり、それぞれのコンテンツ注文手段において、携帯端末用デジタルコンテンツの注文が記載される選択欄の選択枝である携帯端末用デジタルコンテンツが異なることを特徴とする、（１）記載の携帯端末用デジタルコンテンツ販売システム。
【００１６】
販売店で使用されるコンテンツ注文手段は、例えば図４と図５に示すように、内容が異なるものを用意する。すなわち、携帯端末を購入し、そして携帯端末で利用可能なコンテンツも併せて購入する購入者に対しては、図４に示すように、待ち受け画面のような初期設定の項目があるコンテンツ注文手段を使用させ、それ以外の購入者に対しては図５に示すように初期設定の項目がないコンテンツ注文手段を使用させる。異なるコンテンツ注文手段を使い分けることによって、購入者の状況により最適なコンテンツを選択させることが可能となる。
【００１７】
（３）　携帯端末用デジタルコンテンツを蓄積するための、コンピュータネットワーク接続されたコンテンツサーバーと、前記コンテンツサーバーに蓄積された携帯端末用デジタルコンテンツのリストの表示がなされるコンテンツリスト表示手段と、前記表示手段に表示された携帯端末用デジタルコンテンツの中から、コンテンツ購入者の携帯端末へダウンロードされる携帯端末用デジタルコンテンツの選択が表示されるコンテンツ注文手段と、を備えた携帯端末用デジタルコンテンツ販売店であって、前記コンテンツ注文手段の記載内容に基づき、携帯端末用デジタルコンテンツが前記サーバーによって携帯端末ユーザーの携帯端末へダウンロードされることを特徴とする携帯端末用デジタルコンテンツ販売店。
【００１８】
（４）　前記コンテンツ注文手段は、携帯端末用デジタルコンテンツと同時に携帯端末を購入する携帯端末用デジタルコンテンツ購入者向けと、それ以外の携帯端末用デジタルコンテンツ購入者向けとで異なり、それぞれのコンテンツ注文手段において、携帯端末用デジタルコンテンツの注文が記載される選択欄の選択枝である携帯端末用デジタルコンテンツが異なることを特徴とする、（３）記載の携帯端末用デジタルコンテンツ販売店。
【００１９】
（５）　選択枝である携帯端末用デジタルコンテンツが異なる、複数の携帯端末用デジタルコンテンツ選択欄と、携帯端末用デジタルコンテンツ購入者への質問事項が記載された審尋欄と、を備えており、質問事項への解答内容が予め決められたものと一致する場合と一致しない場合とでは、携帯端末用デジタルコンテンツ購入者が記載する携帯端末用デジタルコンテンツ選択欄が異なることの表示がされたコンテンツ注文手段。
【００２０】
携帯端末用デジタルコンテンツ選択欄とは、例えば、図４に示すように、コンテンツ注文手段の中のコンテンツ申し込み欄２０である。コンテンツ申し込み欄には複数のコンテンツが表示され、購入者は希望するいずれかのコンテンツを選択することによりコンテンツ注文を行う。この選択枝は常に同一ではなく、購入者の条件に応じて異なるものである。例えば図６の（Ａ）から（Ｇ）に示すように、コンテンツ申し込み欄２０には購入者の年齢や職業等に応じて互いに異なるコンテンツが選択枝として掲載される。また、質問事項が記載された審尋欄とは例えば、図５に示すように、コンテンツ注文書の中のカスタマイズデータ記入欄１８であり、購入者の購入状況や、職業等についての質問を記入する欄である。このカスタマイズデータ記入欄１８には、質問への回答によって、次に図６の（Ａ）から（Ｇ）のどのコンテンツ注文手段を用いて注文を記載するかを指示する語句や記号を表示する。あるいは図６の（Ａ）から（Ｇ）のコンテンツ申し込み欄は一つのコンテンツ注文手段に記載され、前記質問への回答によって、次にどの部分の記載を行うかの指示を表示する。この注文手段によって、購入者はその購入者層にとって最適なコンテンツの選択枝から効率のよい選択が行える。
【００２１】
（６）　前記質問事項には、携帯端末用デジタルコンテンツ購入者の電子メールアドレスが含まれることを特徴するとする（５）記載のコンテンツ注文手段。
【００２２】
（７）　前記質問事項には、携帯端末用デジタルコンテンツ購入者の携帯端末に対する習熟度が含まれることを特徴するとする（５）または（６）記載のコンテンツ注文手段。
【００２３】
質問事項に含まれる習熟度は、例えは図５に示すように、カスタマイズデータ記入欄１８の、「ご購入状況」記載欄であり、購入者が携帯端末をはじめて購入するのか、買い替えをするのか記載させる欄である。
【００２４】
【発明の実施の形態】
以下、本発明の実施の形態を添付図面を参照して説明する。
【００２５】
図１は、この発明に係る、携帯端末用デジタルコンテンツ販売システムの構成例を示すシステム構成図である。この構成図において、コンテンツサプライヤーが作成したコンテンツは、コンテンツサーバー１３に転送され蓄積される。蓄積されたコンテンツの情報はコンテンツカタログ１４に掲載され、携帯端末のユーザーに提示される。ユーザーは携帯端末１６にダウンロードを希望するコンテンツを前記コンテンツカタログ１４から選択し、コンテンツ注文書１５に記載する。販売店では注文書記載に基づいて、コンテンツサーバー１３に蓄積されたコンテンツを携帯端末ユーザーの携帯端末１６にダウンロードする。以下に詳細を説明する。
【００２６】
コンテンツを作成するコンテンツサプライヤーが作成したコンテンツは、コンピュータネットワーク１２を通じてコンテンツサプライヤー端末１１からコンテンツサーバー１３に転送され蓄積される。ここで、コンピュータネットワーク１２とは、インターネットや専用線接続によるイントラネット等である。コンテンツサプライヤー端末１１は、コンテンツを作成するコンテンツサプライヤーごとに存在するので、コンテンツサーバー１３は複数のコンテンツサプライヤー端末１１から様々な種類の多数のコンテンツの転送を受けることができる。そして、転送されたコンテンツは、コンテンツサーバー１３に蓄積される。
【００２７】
一方、コンテンツ販売店に設置された販売店端末９は、ネットワーク１２を通じてコンテンツサーバー１３にアクセスし、コンテンツサーバー１３に蓄積されたコンテンツの情報を受信する。そして、販売店端末９のディスプレイには、受信した情報が表示される。このとき販売店端末９のディスプレイは、コンテンツリスト表示手段となる。ここに表示される情報としては、コンテンツの名称や番号等の標識、コンテンツの機能や内容の紹介である。また、コンテンツサーバー１３に蓄積されたコンテンツの情報は、販売店端末９またはコンテンツサーバー１３に接続されるプリンタよって印刷される場合もあり、これはコンテンツカタログ１４として店内に配置され、コンテンツ購入者によって閲覧される。コンテンツリスト表示手段としてコンピュータディスプレイ表示が使用される場合には、特に複数枚の変化する静止画や動画、音声を伴うコンテンツの内容が、コンピュータ上での携帯端末の模擬画面上に表示されることにより、コンテンツの実際の動きが容易に把握できる利点がある。
【００２８】
携帯端末販売店でコンテンツカタログ１４の内容を見た携帯端末ユーザーが、自己の携帯端末１６にカタログの中のコンテンツをダウンロードしたい場合には、携帯端末の販売店に設置されたコンテンツ注文書１５に、ダウンロードを希望するコンテンツを指定して記載する。コンテンツ注文書は紙、すなわちコンテンツ注文紙の場合があるが、販売店に設置された販売店端末９のディスプレイ等表示装置による表示の形態であってもよく、この場合、携帯端末ユーザーの注文は紙への記載ではなく、販売店端末９のキーボードやマウス等入力装置からの入力によってなされる。
【００２９】
コンテンツの注文は、携帯端末ユーザーがコンテンツ注文書１５に、コンテンツの名称やインデックス等を直接記載して指定をすることによりなされるが、この他に、コンテンツ注文書１５に予め記載されたコンテンツリストの中から、希望するコンテンツを選択をしていくことによってもできる。
【００３０】
ここで、コンテンツ注文書の内容について説明する。携帯端末ユーザーの持つコンテンツの嗜好は、携帯端末ユーザーの携帯端末使用頻度や性別、職業といった条件により類別することができる。例えば、携帯端末ユーザーが携帯端末にコンテンツをダウンロードする状況としては、既に携帯端末を所有している携帯端末ユーザーが、コンテンツのダウンロードを希望する場合と、携帯端末を新たに購入する、すなわち厳密には、これから携帯端末ユーザーになる者がコンテンツのダウンロードを希望する場合とがある。この場合、前者は、標準で内蔵されていたのとは別のコンテンツを利用したり、あるいは、それまで使用していたゲームコンテンツを別のゲームコンテンツに変更したりといった、高度なアプリケーションに対する要望が強い傾向にある。この一方で後者における購入者は、まず、通話待ち受け画面や着信音といった、より基本的な機能について、携帯端末の工場出荷時初期設定の変更等を希望する傾向にある。このように、新規に携帯端末を購入する携帯端末ユーザーと、既に所有している携帯端末にダウンロードをする携帯端末ユーザーとでは、コンテンツ注文書への記載内容は大きく異なる。そしてこの場合には、選択欄が異なる複数種類のコンテンツ注文書１５を用意して使い分けがなされる。コンテンツ注文書１５の使い分けにより、選択すべきコンテンツがユーザーの目的によって予め選別されるので、携帯端末ユーザーが自分に最適なコンテンツを効率よく選ぶことが可能となる。例えば、携帯端末を購入するユーザーに対するコンテンツ注文書は、図４に示すように初期設定の変更をするための初期設定申し込み欄１９を設ける一方で、既に携帯端末を所有している携帯端末ユーザーに対するコンテンツ注文書は、図５に示すように、初期設定を除いたコンテンツの申し込み欄２０を大きく確保する。このようにして、携帯端末ユーザーの状況に応じたコンテンツの情報のみを予め選んで提供することができる。
【００３１】
更に、ユーザーの嗜好の種類を細分化し、これに応じて選択枝の異なるコンテンツ注文書を用意すると、携帯端末ユーザーは自分の好みに最適なコンテンツをより簡単に選択することができる。
【００３２】
例えば、携帯端末ユーザーは、職業や年齢、性別に基づいて、いくつかのユーザー層に区分されるが、これらの各ユーザー層のユーザーは、道具としての携帯端末の捉え方がそれぞれ異なる。従って、コンテンツ注文書の種類も、例えば図６に示すように、携帯端末ユーザーの職業や年齢、性別に基づいて、主婦（図６（Ａ））、高齢者（図６（Ｂ））、ヤング女性（図６（Ｄ））、ヤング男性（図６（Ｅ））、ビジネスウーマン（図６（Ｆ））、ビジネスマン（図６（Ｇ））と異なるものを用意し、例えば、携帯端末を友人とのコミュニケーションの道具として捉えるヤング層には、趣味や娯楽に関するコンテンツを、そして、ビジネス情報通信の道具として捉えるビジネスマンには金融情報に関するコンテンツを選択枝とする。
【００３３】
このように、選択枝の異なるコンテンツ注文書によって、販売店側も、異なる各ユーザー層の要求に対応した、より最適なコンテンツラインナップを提示すことができる。
【００３４】
また、ユーザーに対するコンテンツの選択のさせ方としては、一つの注文書の中にコンテンツの選択枝が異なる複数の選択欄を設け、また、注文書に記載されることとなる最初の段階において携帯端末ユーザーついての属性を質問する項目を設け、その質問への回答によって、それぞれ次に進むべき選択欄を変えるようにすれば、多くのユーザーの嗜好への対応が可能となる。
【００３５】
例えば、図４に示すように、コンテンツ注文書の中の、携帯端末ユーザーの氏名を記載させる欄の付近に、電子メールアドレスを記載させる欄１８を設けておく。ここで、携帯端末ユーザーが電子メールアドレスを書き込むときには、この携帯端末ユーザーは自宅や会社にコンピュータネットワーク接続可能なコンピュータを所有している場合が多い。このことから、ある特定のコンテンツ選択欄の選択枝には、例えば、コンピュータとのメール送受信が行い易い電子メールコンテンツを掲載しておき、そして、先の電子メールアドレス記載欄の付近には、もしも電子メールアドレスが記載されたときには、次は、前述の特定の選択欄に進むことをユーザーに指示する言葉や記号を配置する。そしてこれとは反対に、携帯端末ユーザーが電子メールアドレスを書き込まないときには、他のコンテンツが選択枝に掲載された別の選択欄に進むよう指示する言葉や記号を配置する。
【００３６】
さらに、携帯端末ユーザーへの質問数を増やして、携帯端末ユーザーからの回答がそのままコンテンツの選択、そして注文となるようなコンテンツ注文書とすれば、コンテンツの選択が対話的に行え、ユーザーとしても気軽にコンテンツ注文書の記載ができる。
【００３７】
このようにしてコンテンツの選択がされ、注文がコンテンツ注文書１５に記載されると、注文内容にしたがって、携帯端末ユーザーの携帯端末１６にコンテンツがダウンロードされる。ダウンロードの手順は、まず、販売店の販売員がコンテンツ注文書１５の記載内容に基づき、販売店内の販売店端末９の入力装置から注文のデータを入力することによってなされる。注文のデータはネットワークを介してサーバーコンピュータに転送・入力される。コンテンツサーバー１３は注文が入力されると、まず、携帯端末ユーザーの携帯端末１６に、電子メールを送信する。電子メールはコンテンツサーバー１３からネットワークそして通信会社網による無線通信を介して携帯端末に送られ、携帯端末に表示される。この電子メールには前記注文がされたコンテンツが蓄積された場所を示すＵＲＬが含まれている。そして、携帯端末ユーザーが電子メールに含まれたＵＲＬを選択すると、携帯端末は通信会社網１０そしてネットワーク１２を経由してＵＲＬによって指定されるコンテンツサーバー１３にアクセスを行う。そして、そのＵＲＬに示されるコンテンツが、コンテンツサーバー１３からネットワークそして通信会社網による無線通信を介して携帯端末に転送される。
【００３８】
図２には、本発明の第２の実施形態である、販売システムの構成例を示す。この実施形態では、販売店端末でなくコンテンツサーバー１３が販売店内に設置される。
【００３９】
この場合には、コンテンツカタログ１４は、紙媒体によるカタログ以外に、販売店に設置されたコンテンツサーバー１３の表示装置を用いて、蓄積されたコンテンツの内容を表示することができる。また、コンテンツ注文の手段としても、コンテンツ注文書１５を用いる以外にコンテンツサーバー１３の入力装置等を用いて直接的に注文情報を入力することが可能となる。
【００４０】
図３には、本発明の第２の実施形態である、販売システムの構成例を示す。この実施形態においては、コンピュータネットワーク１２としては、インターネットではなく、ＬＡＮや専用線が想定される。この場合、コンテンツのダウンロードは、ネットワーク１２に接続された販売店端末９を通じて行われる。携帯端末１６は、コネクタ、例えばＰＤＣコネクタ等から販売店に設置された販売店端末に対して有線通信接続を行うか、また、赤外線ポートによる無線接続を行い、このコンピュータを介してインターネット等のコンピュータネットワークにより、コンテンツサーバー１３にアクセスする。このとき、コンテンツサーバー１３が場所的に販売店内に設置されている場合には、前記有線接続は携帯端末１６から直接、コンテンツサーバー１３に対して行う場合もある。
【００４１】
【発明の効果】
以上、説明したように本発明の携帯端末用デジタルコンテンツ販売システムによれば、携帯端末ユーザーは、コンテンツを購入するに際し、通信会社のサイトにアクセスする以外に、販売店に出向いてカタログを見ながらコンテンツを選ぶことが可能になる。
【００４２】
また、コンテンツを店頭で選択して購入できるので、通信会社のサイトにアクセスアクセスするときのような携帯端末ユーザーの誤操作による不確実性が減少し、コンテンツの購入が確実に行えることになる。
【００４３】
また、携帯端末販売店においては、携帯端末のみならずコンテンツの店頭販売も行うことが可能となる。このとき、販売店においてコンテンツのダウンロードを行うことから、店頭でコンテンツと引き換えに代金を収受することができ、このことによって携帯端末ユーザーとしても代金支払いの確実感が増す。
【００４４】
また、携帯端末販売店は携帯端末を販売する際に、顧客の希望するコンテンツを予め携帯端末にダウンロードしてから、携帯端末を手渡すことができるようになる。すなわち、コンテンツを含めた全体として、携帯端末ユーザーの希望に沿った、カスタムメードの携帯端末を販売することができ、同一のハードウエアを扱いながらも商品の差別化を図ることができる。
【００４５】
また、通信会社のサイトには登録されなかった未活用のコンテンツが、コンテンツサーバーによる新規の経路を通じて流通し活用されるようになるという優れた効果を奏し得る。
【００４６】
また、携帯端末ユーザーのコンテンツ選択に際し、ユーザーの嗜好に沿ったコンテンツによる選択枝が記載されたコンテンツ注文書を使用することによって、膨大な量のコンテンツの中から、効率よくコンテンツの選択が行える。
【図面の簡単な説明】
【図１】携帯端末用デジタルコンテンツ販売システムの構成例を示す図である。
【図２】携帯端末用デジタルコンテンツ販売システムの構成例を示す図である。
【図３】携帯端末用デジタルコンテンツ販売システムの構成例を示す図である。
【図４】コンテンツ注文書例を示す図である。
【図５】コンテンツ注文書例を示す図である。
【図６】コンテンツ注文書の多様なレイアウト例を示す図である。
【符号の説明】
９　　　販売店端末
１０　　通信会社網
１１　　コンテンツサプライヤー端末
１２　　コンピュータネットワーク
１３　　コンテンツサーバー
１４　　コンテンツカタログ
１５　　コンテンツ注文書
１６　　携帯端末
１８　　カスタマイズデータ記入欄
１９　　初期設定申し込み欄
２０　　コンテンツ申し込み欄
【図１】
2004030080.tif 000003
【図２】
2004030080.tif 000004
【図３】
2004030080.tif 000005
【図４】
2004030080.tif 000006
【図５】
2004030080.tif 000007
【図６】
2004030080.tif 000008